(57)【要約】【課題】遊技機毎の電源投入タイミングをずらしながらも、それによりランダムになり得る待機画面の表示開始タイミングを遅延補正手段で補正し、それぞれの待機画面表示を同期状態とするように構成した遊技機を提供する。【解決手段】パチンコ機１ａ〜１ｅ…それぞれの電源投入タイミングを遅延回路でずらし、乱数カウンタによる乱数発生の開始タイミングがずらしながらも、各パチンコ機の待機画面の表示開始タイミングを各遅延補正手段でそれぞれ補正し、パチンコ機毎の待機画面を同期状態にすることができる。これにより、開店時に島設備の各遊技機が待機画面をランダム表示することで遊技者に不信感を感じさせたりするような不都合を防止することができる。【選択図】図２
2010119464.tif 000002
【特許請求の範囲】
【請求項１】
待機画面を表示する画像表示装置を備えた遊技機において、
外部の電源供給部から電源を供給される電源被供給部と、
前記電源供給部と前記電源被供給部との間に介在され、前記電源供給部から該電源被供給部への電源供給のタイミングを設定に応じて遅延させる遅延手段と、
前記電源供給を遅延させる旨の遅延信号を前記遅延手段から受信した際、前記画像表示装置での前記待機画面の表示を、前記遅延信号に基づく遅延量に応じて補正して他の遊技機と同期した形で開始させるように補正する遅延補正手段と、を備えてなる、
ことを特徴とする遊技機。
【請求項２】
前記遅延補正手段は、
前記画像表示装置が電源供給を受けた時点でイニシャライズ処理を実行してから前記待機画面を表示開始させる一定の基準時間を有し、かつ前記遅延手段による遅延設定に応じて該基準時間を補正することにより、前記画像表示装置での前記待機画面の表示を他の遊技機と同期した形で開始させてなる、
請求項１記載の遊技機。
【請求項３】
前記遅延手段は、前記遅延設定を行う設定手段を有し、かつ該設定手段の調整量を前記遅延信号に重畳して出力してなり、
前記遅延補正手段は、
前記遅延信号に重畳された前記設定手段の調整量に応じて前記基準時間を短縮させるように補正してなる、
請求項２記載の遊技機。
【発明の詳細な説明】
【技術分野】
【０００１】
本発明は、パチンコ機やスロットマシン等の遊技機に関し、特に、不正行為に対する対策を判り難くし得る遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている。
【０００３】
このようなパチンコ機では、一般入賞口に入球した際にはそれに対応した個数の遊技球が払い出され、また始動チャッカーに入球した際にはこれに基づいて当たり／外れや演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカを介した聴覚的表現などを用い、様々な演出が行われる。なお、当たり（以下、「大当たり」ともいう）の発生時には、アタッカーと呼ばれる大入賞口が開放し、入球に対応して多量の遊技球が払い出される遊技者に有利な遊技状態となる。
【０００４】
また、遊技機、例えばスロットマシンとして、複数種の絵柄からなるシンボルマークを円周方向に多数（通常は２１個）備えた横３列の回胴リールを、スタートレバー操作に基づいて回転させた後、３個のストップボタンを夫々押圧操作することで、各ボタンに対応する回胴リールを順次停止させて、各回胴リールに備えたシンボルマークのうちの所定の絵柄同士が一致したときに当たりとなり、ボーナス取得として多数の遊技メダルがメダル受け皿に放出される構造のものが知られている。当該スロットマシンでは、主基板に装着されたＲＯＭの抽選機能により役抽選を行い、該対応役の結果に応じて回胴リールを停止制御させてシンボルマークを揃える際等に視覚的な演出を行っている。
【０００５】
上述したようなパチンコ機やスロットマシンは、それぞれ遊技場（所謂ホール）内の遊技島と呼ばれる区域において、一方向に延在するランプ板や幕板に沿って列状に順次隣接した形で複数が配置されている。このように、多数の遊技機が整列した遊技島を多数備えた遊技場内の遊技島設備において、遊技者は、好みの遊技機に対面して着座し、パチンコ機或いはスロットマシン固有の遊技手法に沿って遊技を進める。
【０００６】
ところで、多くの遊技場では、上述したパチンコ機やスロットマシン等の多数の遊技機の主電源を開店時にオンし、或いは閉店時にオフする作業の簡便化を図り、例えば島設備にある各遊技機の電源配線をまとめて単一のブレーカー（配線用遮断器）に接続し、該ブレーカーのオン操作で、対応する島設備の全遊技機に一斉に電源供給するようにしている。
【０００７】
しかしながら、このように構成した場合、開店時や閉店時に主電源をオン／オフする作業の簡便化を図ることはできるものの、島設備への一斉の電源投入時に、定常的な電流よりも遥かに大きい突入電流が流れることがあり、その際、遊技場の電源設備等に悪影響を与える等の問題を生じることがある。
【０００８】
更に、パチンコ機では大当たり等の抽選に使用される乱数カウンタが、またスロットマシンではボーナスや小役等の抽選に使用される乱数カウンタが、各遊技機に備えた電源ユニットに上記ブレーカーのオン操作で電源供給（投入）された時点から計時の開始（即ち、乱数の更新）をそれぞれ開始するが、上述のように島設備の全遊技機に電源供給が一斉に開始されると、遊技機毎の乱数カウンタによる乱数発生の開始タイミングが同期して、体感器を用いた不正行為（所謂ゴト行為）の標的になり易いという問題が生じることがある。
【０００９】
そこで、これらの問題を解消し得るようにした電源投入装置が提案されている（特許文献１参照）。該電源投入装置にあっては、島設備にある遊技機のそれぞれに、電源投入された際に作動する遅延回路、及び該遅延回路の作動で閉じる開閉接点を配設し、島設備の全遊技機に一斉に電源投入された場合であっても、各遊技機が時間差をもって起動するように構成している。
【００１０】
【特許文献１】特開平１１−９９２７２号公報
【発明の開示】
【発明が解決しようとする課題】
【００１１】
しかし、上記特許文献１記載の電源投入装置のように、島設備の遊技機にそれぞれ遅延回路や該遅延回路の作動で閉じる開閉接点を設けると、遊技機毎の乱数カウンタによる乱数発生の開始タイミングを個々にずらすことはできるものの、それぞれに搭載された液晶表示装置（画像表示装置）が、電源投入とともに各遊技機毎に起動を開始するため、液晶画面上に表示される客待ち用の待機画面（デモ画面）が、それぞれのタイミングで開始されることになる。
【００１２】
つまり、待機画面は、着座した遊技者が発射ハンドルを操作するまで、用意されている変動パターンを順番に表示して一巡した後に再度繰り返し表示されるものであるが、個々のタイミングで起動開始されると、一連の表示パターンがそれぞれにずれて、開店時（朝一番）には、島設備の遊技機がそれぞれにずれて待機画面表示している状態となり、遊技者にあっては、いつもと違う光景に違和感を覚えることになる。
【００１３】
そこで本発明は、島設備に配置される遊技機に、電源投入のタイミングを任意に設定し得る遅延回路を設けて遊技機毎の電源投入タイミングをずらしながらも、それによりランダムになり得る待機画面の表示開始タイミングを遅延補正手段で補正して、それぞれの待機画面表示を同期状態とするように構成した遊技機を提供することを目的とする。
【課題を解決するための手段】
【００１４】
請求項１に係る本発明は（例えば図１ないし図８参照）、待機画面を表示する画像表示装置（３５）を備えた遊技機（１）において、
外部の電源供給部（６６，６７）から電源を供給される電源被供給部（４１）と、
前記電源供給部（６６，６７）と前記電源被供給部（４１）との間に介在され、前記電源供給部（６６，６７）から該電源被供給部（４１）への電源供給のタイミングを設定に応じて遅延させる遅延手段（５４）と、
前記電源供給を遅延させる旨の遅延信号を前記遅延手段（５４）から受信した際、前記画像表示装置（３５）での前記待機画面の表示を、前記遅延信号に基づく遅延量に応じて補正して他の遊技機と同期した形で開始させるように補正する遅延補正手段（４８）と、を備えてなる、
ことを特徴とする遊技機（１）にある。
【００１５】
請求項２に係る本発明は（例えば図６及び図８参照）、前記遅延補正手段（４８）は、
前記画像表示装置（３５）が電源供給を受けた時点でイニシャライズ処理を実行してから前記待機画面を表示開始させる一定の基準時間（Ｔ）を有し、かつ前記遅延手段（５４）による遅延設定に応じて該基準時間（Ｔ）を補正することにより、前記画像表示装置（３５）での前記待機画面の表示を他の遊技機と同期した形で開始させてなる、
請求項１記載の遊技機（１）にある。
【００１６】
請求項３に係る本発明は（例えば図６ないし図８参照）、前記遅延手段（５４）は、前記遅延設定を行う設定手段（例えば６５）を有し、かつ該設定手段の調整量を前記遅延信号に重畳して出力してなり、
前記遅延補正手段（４８）は、
前記遅延信号に重畳された前記設定手段の調整量に応じて前記基準時間（Ｔ）を短縮させるように補正してなる、
請求項２記載の遊技機（１）にある。
【００１７】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１８】
請求項１に係る本発明によると、画像表示装置、電源被供給部、遅延手段及び遅延補正手段を有し、該遅延補正手段が、遅延信号を遅延手段から受信した際、画像表示装置での待機画面の表示を、遅延信号に基づく遅延量に応じて補正して他の遊技機と同期した形で開始させるように補正するので、電源供給部から、遊技機が複数配置された遊技島に対して一斉に電源投入されても、各遊技機に備えた遅延回路により、それぞれの電源被供給部への電源投入タイミングを互いにずらすようにすることで、複数の遊技機に一斉に電源投入されることに起因して発生する突入電流を確実に防止し、かつ乱数の更新タイミングをランダムにしながらも、待機画面の表示開始のタイミングをそれぞれ補正することで、各遊技機毎に表示される待機画面を同期した状態にすることができる。これにより、開店時に島設備の各遊技機で異なるタイミングで待機画面が表示されることで、遊技者に不信感を感じさせるような不都合を無くすことができる。
【００１９】
請求項２に係る本発明によると、遅延補正手段は、画像表示装置が電源供給を受けた時点でイニシャライズ処理を実行してから待機画面を表示開始させる一定の基準時間を有し、かつ遅延手段による遅延設定に応じて該基準時間を補正することで、画像表示装置での待機画面の表示を他の遊技機と同期した形で開始させるので、予め設定された基準時間を各遊技機毎に調整することにより、待機画面の表示開始のタイミングを容易に補正することができる。
【００２０】
請求項３に係る本発明によると、遅延手段は、遅延設定を行う設定手段を有し、かつ該設定手段の調整量を遅延信号に重畳して出力し、遅延補正手段は、遅延信号に重畳された設定手段の調整量に応じて基準時間を短縮させるように補正するので、予め設定された基準時間を設定手段の調整量に応じて短縮させる補正により、待機画面の表示開始のタイミングを極めて容易に補正することができる。
【発明を実施するための最良の形態】
【００２１】
以下、本発明に係る遊技機を、遊技島を複数備える遊技島設備に配置されたパチンコ機の例を挙げ、図に沿って説明する。なお、本遊技機として、回胴リール装置を有するスロットマシンも同様に用いることができることは勿論である。
【００２２】
図１は、本実施形態における遊技島設備Ｉｓを示す概略図である。同図に示すように、遊技島設備Ｉｓは、遊技場（ホール）Ｈの内部の略全域に配置されるもので、多数の遊技島Ｇ１〜Ｇ２４を備えている。本実施形態において、遊技島Ｇ１〜Ｇ２４はそれぞれ、横一列に並列配置した１０台ずつのパチンコ機１を有している。なお、本実施の形態では、必要に応じて、遊技島を個々にＧ１〜Ｇ２４と呼び、或いは、総称して遊技島Ｇと呼ぶこととする。
【００２３】
また、本実施形態では、遊技島Ｇ１〜Ｇ２４を、便宜上、いずれも横一列に９台ずつのパチンコ機１を並列配置した領域として説明するが、実際には遊技場ごとの管理形態の違いにより、横一列の一端から他端まで全て（本実施形態では９台）を１つの遊技島とせずに、例えば横一列の一端から数えて５台目までを１つの遊技島として管理し、残り４台を別の遊技島として管理するような場合もあり得る。つまり、本実施形態で示すような横一列の遊技島Ｇのそれぞれで（又は一部の遊技島Ｇで）複数台ずつに区切って遊技島として管理するような形態も、以下に述べる本発明の対象としての「遊技島」に含まれることは勿論である。
【００２４】
遊技島Ｇ１とＧ２、遊技島Ｇ３とＧ４、遊技島Ｇ５とＧ６、遊技島Ｇ７とＧ８、遊技島Ｇ９とＧ１０、遊技島Ｇ１１とＧ１２、遊技島Ｇ１３とＧ１４、遊技島Ｇ１５とＧ１６、遊技島Ｇ１７とＧ１８、遊技島Ｇ１９とＧ２０、遊技島Ｇ２１とＧ２２、遊技島Ｇ２３とＧ２４は、それぞれ背中合わせの状態で配置されている。なお、この「背中合わせ」とは、例えば遊技島Ｇ１とＧ２において、各パチンコ機１が、図３に示す前側を互いに反対側に向けると共に、図４に示す後側を互いに対向させて配置される状態を意味している。
【００２５】
それぞれ背中合わせに配置された遊技島Ｇ１，Ｇ２の島群と、遊技島Ｇ３，Ｇ４の島群と、遊技島Ｇ５，Ｇ６の島群と、遊技島Ｇ７，Ｇ８の島群と、遊技島Ｇ９，Ｇ１０の島群と、遊技島Ｇ１１，Ｇ１２の島群とは、図１における上下方向にて互いに平行に、且つ一定の間隔をあけた状態で配置されている。また、それぞれ背中合わせに配置された遊技島Ｇ１３，Ｇ１４の島群と、遊技島Ｇ１５，Ｇ１６の島群と、遊技島Ｇ１７，Ｇ１８の島群と、遊技島Ｇ１９，Ｇ２０の島群と、遊技島Ｇ２１，Ｇ２２の島群と、遊技島Ｇ２３，Ｇ２４の島群も、同様に、図１の上下方向にて互いに平行に、且つ一定の間隔をあけた状態で配置されている。
【００２６】
更に、遊技島Ｇ１，Ｇ２の島群と遊技島Ｇ１３，Ｇ１４の島群、遊技島Ｇ３，Ｇ４の島群と遊技島Ｇ１５，Ｇ１６の島群、遊技島Ｇ５，Ｇ６の島群と遊技島Ｇ１７，Ｇ１８の島群、遊技島Ｇ７，Ｇ８の島群と遊技島Ｇ１９，Ｇ２０の島群、遊技島Ｇ９，Ｇ１０の島群と遊技島Ｇ２１，Ｇ２２の島群、遊技島Ｇ１１，Ｇ１２の島群と遊技島Ｇ２３，Ｇ２４の島群は、それぞれ図１における左右方向にて互いに一定の間隔をあけた状態で配置されている。
【００２７】
次に、遊技島Ｇ１〜Ｇ２４への電源供給について説明する。上述した遊技島Ｇ１〜Ｇ２４は互いに同様の構成を備えるため、ここでは、遊技島Ｇ１〜Ｇ２４のうちの何れかに関し、図２を参照して説明することとする。なお、図２は、何れかの遊技島に対する電源供給の状況を模式的に示す図である。
【００２８】
図２に示すように、遊技島は、一方向（図２左右方向）に延在するランプ板２４、天板（玉箱載せ台）２８、腰板２９に沿って列状に順次隣接した形で９台（図２では便宜上、５台のみ図示している）のパチンコ機１ａ，１ｂ，１ｃ，１ｄ，１ｅ…が並列配置されている。ランプ板２４には、各パチンコ機１ａ〜１ｅ…に対応するようにデータ表示器７０がそれぞれ配置されている。本実施の形態では、必要に応じて、パチンコ機を個々に１ａ〜１ｅ…と呼び、或いは、総称してパチンコ機１と呼ぶこととする。各パチンコ機１は電源ユニット（電源被供給部）４１を備えており、それら電源ユニット４１は、電源配線６８を介して、交流電源６６と単一のブレーカー６７とからなる電源供給部に一括して接続されている。
【００２９】
次に、遊技島設備Ｉｓに配置されるパチンコ機１について詳細に説明する。なお、図３は、本パチンコ機１の外部構造を示す正面図である。
【００３０】
本パチンコ機１は、図３に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でアタッカー５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００３１】
本パチンコ機１は、開口を有する枠体状の筐体６と、遊技盤３を支持した形で筐体６に開閉可能に支持された前扉７とを有しており、前扉７の前面には、透明ガラス９を有するガラス枠１０が、前扉７の遊技盤保持枠（図示せず）に対して開閉可能に取り付けられている。透明ガラス９の奥側には、遊技盤３が配設されている。前扉７における遊技盤３の左右には演出用照明装置１１が配設されており、前扉７における上部左右、及び下部の皿ユニット１６の左右には、スピーカー（図示せず）を有する放音装置１２がそれぞれ配設されている。そして、前扉７の上部における放音装置１２の間には、演出用照明装置８が配設されている。
【００３２】
ガラス枠１０における中央部右方には、前扉７を筐体６側に施錠又は解放し、或いは、ガラス枠１０を前扉７側に施錠又は解放するための施錠装置１３が配設されている。なお、図３中の符号１４は、打ち出された遊技球Ｂａを遊技盤３側に案内するガイドレールを示している。本パチンコ機１には、遊技中に遊技領域３ａにて入賞することなく落下してアウト口（図示せず）に進入した遊技球Ｂａをパチンコ機１の背面側に導くアウト球通路（図示せず）が設けられている。
【００３３】
前扉７における下部中央には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及び返却ボタン１９ｂが設けられている。皿ユニット１６の中央左部には、皿ユニット１６上の遊技球を発射装置付近から皿ユニット下部の球排出口（図示せず）を通して下方に排出するための第１球抜きボタン２０ａが配設されており、皿ユニット１６の中央下部には、皿ユニット１６上の遊技球を球供給口１７付近から上記球排出口を通して下方に排出するための第２球抜きボタン２０ｂが配設されている。
【００３４】
前扉７における皿ユニット１６の右方下部には、発射装置（図示せず）を操作して遊技球を遊技盤３に向けて打ち出すための発射ハンドル２が設けられている。更に、皿ユニット１６の下部左方には、灰皿２１と遊技者参加ボタン２２とが配設されている。遊技者参加ボタン２２の左右には、選択ボタン１８ａ，１８ｂがそれぞれ配設されている。
【００３５】
遊技領域３ａの中央部分には、ステージＳを有するセンター飾り２３が配設されている。センター飾り２３の左右下方には、それぞれ大当たり抽選に寄与しない一般の入賞が行われる入賞口２５，２６が配設されており、センター飾り２３の直下方には、始動チャッカー２７とアタッカー５とが順次配設されている。
【００３６】
始動チャッカー２７は、大当たり抽選実行の契機となり得る入賞が行われるものであり、後述する作動制御手段８８により、開閉動作するように制御される。始動チャッカー２７の直上方には、所謂命釘としての一対の障害釘３０が打ち込まれている。アタッカー５は、大当たり発生時に開放され、遊技領域３ａに打ち出されて転動落下する遊技球Ｂａを入賞させるものであり、大当たり発生中、例えば、１回の開放で９個の入球を完了した時点で閉じ、当該開閉動作を１５回繰り返すように構成される。なお、これらの入球数並びに開閉動作の回数は、９個や１５回に限定されることはなく、必要に応じて適宜設定され得るものである。
【００３７】
遊技領域３ａには、センター飾り２３の四方に風車３１が配設されており、ステージＳの下方における始動チャッカー２７の左側には、普通図柄作動ゲート（スルーゲート）３２が配設されている。普通図柄作動ゲート３２への遊技球通過が、始動チャッカー２７を開閉動作させるための抽選の契機となる。
【００３８】
遊技領域３ａにおける普通図柄作動ゲート３２、入賞口２５，２６及び始動チャッカー２７等の周囲には、ステージＳから零れた遊技球や、発射されてからステージＳに関与せずに落下してくる遊技球を適宜散らし、或いは入球に導くようにするための障害釘３３を含む多数の障害釘が打ち込まれている。
【００３９】
センター飾り２３は、遊技盤３側に固定された画像表示装置３５を露出する開口３６を中央部に、ワープ導入口３７を左上部に、ワープ導入口３７に連通する放出口４を左下部に、ステージＳを開口３６の下側に、球放出口４９をステージＳの中央下部に、それぞれ有している。また、ワープ導入口３７の対向位置には、一対の障害釘３９が打ち込まれている。ワープ導入口３７の周囲や上方側にも、遊技球を適宜散らし、或いは入球に導くようにするための多数の障害釘（図示せず）が打ち込まれている。このような本パチンコ機１では、遊技領域３ａに打ち出された遊技球Ｂａを始動チャッカー２７等に、ステージＳを介して入球させ又は該ステージＳを介さず直接入球させ得るように遊技が進められる。
【００４０】
なお、上記「ワープ導入」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘（図示せず）の列を意味するもので、上方から転動落下してきた遊技球を始動チャッカー２７方向に導く役割を担っている。
【００４１】
ついで、本パチンコ機１の背面構造について図４を参照して説明する。同図は、本パチンコ機１の背面構造を示す背面図である。
【００４２】
図４に示すように、パチンコ機１の前扉７の背面における上部左方には、賞球タンク４３が取り付けられており、賞球タンク４３の下方に、副制御基板３８、主制御基板４０、及び払出し制御基板５１がこの順に配置されている。また、前扉背面における上部右方には、外部端子板５２が取り付けられており、外部端子板５２の下方に、整列待機通路４５、賞球装置４６、賞球排出通路４７、電源ユニット４１、及び発射装置（図示せず）用の発射制御基板５３がこの順に配置されている。パチンコ機１の前扉背面における左側部には、施錠装置１３が配設されている。
【００４３】
次に、本実施の形態におけるパチンコ機１の制御系を図５を参照して説明する。同図はパチンコ機１の制御系を示すブロック図である。なお、遊技島設備Ｉｓには、図１及び図２で説明したように複数のパチンコ機１ａ〜１ｅ…が配置されると共に、それらパチンコ機１ａ〜１ｅ…にそれぞれ制御系が備えられているが、各パチンコ機は同じ仕様で構成されるので、図５においては、１台のパチンコ機の制御系のみについて説明する。
【００４４】
すなわち、遊技島設備Ｉｓに設置されるパチンコ機１の制御系は、遊技制御装置８０と、該遊技制御装置８０に電気的に接続された、始動チャッカー開閉ソレノイド７４、アタッカー開閉ソレノイド７５、放音装置１２、演出用照明装置８，１１、駆動回路３４を有し且つ待機画面（所謂デモ画面）を表示し得る画像表示装置３５、電源ユニット４１、及び遅延回路５４を備えている。
【００４５】
遊技制御装置８０は、図４に示した主制御基板４０や副制御基板３８等から構成されている。主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、副制御基板３８は、主に画像表示、効果音等の演出、効果光等の表示制御を行うように構成されている。
【００４６】
遊技制御装置８０は、入賞判定手段８１、入賞信号出力手段８２、抽選手段８３、普通図柄抽選手段８５、遊技制御手段８６、保留手段８７、作動制御手段８８、演出制御手段９０、表示制御手段９１、及び遅延補正手段４８を備えている。
【００４７】
入賞判定手段８１は、発射ハンドル２の操作で作動する発射装置（図示せず）によって遊技領域３ａに打ち出された遊技球が始動チャッカー２７、入賞口２５，２６、アタッカー５等の何れかに入賞したとき、当該入賞があった旨を判定する。
【００４８】
入賞信号出力手段８２は、入賞判定手段８１によって入賞が判定されたとき、対応する始動チャッカー２７、入賞口２５，２６、アタッカー５等に入賞した旨の入賞信号を出力する。
【００４９】
抽選手段８３は、遊技領域３ａに打ち出された遊技球の入賞を契機として大当たり抽選（即ち、特別遊技状態に移行するか否かの抽選）を実行する。すなわち、抽選手段８３は、入賞信号出力手段８２からの始動チャッカー５に対応する入賞信号の入力時、最大保留球数（例えば４個）未満での入賞を契機として、次なる大当たりに当選するまで遊技者に有利な付加価値を付与し得る特殊状態となる確率変動当たりや、上記特殊状態とならない通常当たり等に関し、乱数カウンタ５０（図６参照）で生成される乱数値を取得して抽選を実行する。
【００５０】
上記抽選手段８３は、例えば確率変動当たりに当選した場合、演出乱数値に基づく抽選で、変動の結果、確変当たりに対応する「１１１」等の図柄が画面３５ａの大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。また抽選手段８３は、通常当たりに当選した場合、変動の結果、通常当たりに対応する「２２２」等の図柄が大当たり有効ライン上で最終的に揃う旨の変動パターンを決定し、その旨の変動パターン信号を出力する。更に抽選手段８３は、大当たり抽選に外れた場合、変動の結果、外れに対応する「２５２」等の図柄が大当たり有効ライン上で最終的に揃う旨の変動パターンを決定し、その旨の変動パターン信号を出力する。
【００５１】
普通図柄抽選手段８５は、始動チャッカー２７を開閉動作させるか否かの普通図柄抽選を、この普通図柄抽選の保留球数（例えば４個）の範囲内で、スルーゲート３２への入球を契機として実行する。
【００５２】
遊技制御手段８６は、放音装置１２、演出用照明装置８，１１に放音、発光駆動等の演出をさせる契機となる指令を演出制御手段９０に送る。更に、遊技制御手段８６は、予め設定された演出データや、抽選手段８３での抽選結果に応じて画像表示装置３５に表示すべき大当たり抽選に関連する演出内容に関する信号を表示制御手段９１に送る。
【００５３】
保留手段８７は、抽選手段８３から出力された変動パターン信号を入力し、変動パターンを、始動チャッカー２７への入賞の都度に行われた抽選の結果となる保留球として順次記憶する。当該記憶状況は、不図示の大当たり抽選保留表示装置に、最大４個の保留球となるように点灯表示される。保留手段８７は、保留球数が４個になっているか否かを常時判定し、保留球数が４個表示されている間は、始動チャッカー２７への入賞に拘わらず大当たり抽選は行わない。なお、保留球として点灯表示される保留球数は上記「最大４個」に限らず、例えば３個以下、又は５個以上として適宜設定することも可能である。
【００５４】
作動制御手段８８は、所定のタイミングで始動チャッカー開閉ソレノイド７４に駆動信号を送って該ソレノイド７４を作動させ、始動チャッカー２７を開閉動作させる。また、作動制御手段８８は、所定のタイミングでアタッカー開閉ソレノイド７５に駆動信号を送り、アタッカー５を例えば１５ラウンドだけ開閉動作させるように制御する。
【００５５】
演出制御手段９０は、遊技制御手段８６からの指令に応答して、放音装置１２を放音駆動し、演出用照明装置８，１１を発光させ、遊技者の聴覚や視覚に訴える演出を行う。また演出制御手段９０は、抽選手段８３での抽選結果に応じて、画像表示装置３５に表示すべき変動図柄に関する信号を、表示制御手段９１に送る。
【００５６】
表示制御手段９１は、遊技制御手段８６からの信号に従って、画像表示装置３５を駆動し、大当たり抽選結果を中心とした内容等の演出を、遊技者の視覚に訴えるように演出表示する。
【００５７】
遅延補正手段４８は、電源供給を遅延させた旨の遅延信号を遅延回路５４から配線５９を介して受信した際、画像表示装置３５の駆動回路３４による表示開始のタイミングを、上記遅延信号に応じて補正して、島設備にある他のパチンコ機と同期させるように構成される。
【００５８】
また、遅延回路（遅延手段）５４は、ブレーカー６７及び交流電源６６からなる電源供給部と電源ユニット（電源被供給部）４１との間に介在された状態で、該電源供給部から該電源ユニット４１への電源供給を、任意に設定された時間だけ遅延させて開始させるように構成される。
【００５９】
図７は、遅延回路５４の一構成例を示す回路図である。即ち、同図に示すように、遅延回路５４は、電源ケーブル４２に接続された全波整流回路６０と、該全波整流回路６０で整流された直流電流が入力されるＣＲタイマ回路６１と、該ＣＲタイマ回路６１の出力を増幅してリレーコイル６２に供給して該リレーコイル６２を励磁させるトランジスタ６３と、配線５８（図６も併せて参照）に接続された切換えスイッチ６４とを有している。
【００６０】
ＣＲタイマ回路６１には可変抵抗器６５が介在されている。該可変抵抗器６５は、ＣＲタイマ回路６１の時定数を調節して遅延時間を任意に設定し得る設定手段を構成するもので、該可変抵抗器６５を調節することでＣＲタイマ回路６１の時定数を変更し、パチンコ機１ａ〜１ｅ…に備えた各電源ユニット４１への電源供給のタイミングを僅かずつ異ならせることができる。その場合、可変抵抗器６５にてボリューム調整した遅延時間は、その旨を示す遅延信号として配線５９を介して遅延補正手段４８に送られる。このような遅延回路５４の場合、可変抵抗器６５にてボリューム調整した遅延時間を、該ボリュームの変更値（即ち、ダイヤルを回した際の目盛りの値）を読み取る読取手段を遅延回路５４に設置し、該読取手段で読み取った信号を遅延信号に重畳することができるが、遅延量を遅延信号に重畳して遅延補正手段４８に送る手段は、これに限らず、他のどのような構成のものであっても良いことは勿論である。
【００６１】
従って、ブレーカー６７がオンされてパチンコ機１ａ〜１ｅ…に一斉に電源が供給されても、パチンコ機１ａ〜１ｅ…それぞれに備えられた遅延回路５４が作動し、各パチンコ機毎に僅かな時間差をもって切換えスイッチ６４がオンするので、配線５８を介して各電源ユニット４１に異なるタイミングで電源が供給される。これにより、該電源ユニット４１を介して、パチンコ機１ａ〜１ｅ…の各主制御基板４０に異なるタイミングで電源供給されることで、各乱数カウンタ５０が同時進行で乱数を生成することがなく、パチンコ機１ａ〜１ｅ…それぞれでの大当たり発生確率の変動周期が確実にずらされる。また、パチンコ機１ａ〜１ｅ…に一斉に電源投入されることに起因して発生する突入電流を確実に防止することができる。
【００６２】
また、電源ユニット４１を介して、パチンコ機１ａ〜１ｅ…の各副制御基板３８と各画像表示装置３５の駆動回路３４とにそれぞれ異なるタイミングで電源供給されるが、後述する遅延補正手段４８の働きにより、パチンコ機１ａ〜１ｅ…の各画像表示装置３５の待機画面（所謂デモ画面）の表示開始は同じタイミングで開始されるようになる。
【００６３】
なお、待機画面とは、遊技者が発射ハンドル２を握って遊技球を打ち出して行う遊技を止めた後、所定時間が経過すると画面３５ａに出現する、主に機種毎に異なるタイトル画面のことで、該タイトルに応じたキャラクタや機種名やメーカー名等が表示されるものであるが、当該待機画面は、遊技場の閉店でブレーカー６７がオフされた後、開店で該ブレーカー６７が再度オンされた際に、駆動回路３４での所定のイニシャライズ処理の後、画面３５ａに出現する。
【００６４】
次に、パチンコ機１ａ〜１ｅ…にそれぞれ備えた、本発明に係る遅延及び遅延補正に関する電源制御系について、図６を参照して詳細に説明する。同図は、図５で説明した遊技制御装置８０を、主制御基板４０と副制御基板３８とを機能的に分離した形で示すブロック図である。
【００６５】
上記電源制御系は、電源配線６８（図２参照）に接続されたコンセント（図示せず）に電源プラグ４２ａを介して接続されている。該電源プラグ４２ａを先端に有する電源ケーブル４２が、切換えスイッチ５５を介在した状態で遅延回路５４に接続されており、該遅延回路５４は配線５８を介して電源ユニット４１に接続されている。該電源ユニット４１における全波整流回路５６の出力部に、乱数カウンタ５０を有する主制御基板４０が配線７１を介して接続され、ＣＰＵ４４に遅延補正手段４８を有する副制御基板３８が配線７２を介して接続され、駆動回路３４を有する画像表示装置３５が配線７３を介して接続されている。遅延回路５４は、電源供給のタイミングをどの程度遅延させたかを示す遅延信号を配線５９を介して、副制御基板３８内の遅延補正手段４８に送る。上記乱数カウンタ５０は、電源ユニット４１を介して電源供給された際に計時（乱数生成）を開始するように構成されている。
【００６６】
上記電源ユニット４１は、交流電源６６から電源配線６８及び電源ケーブル４２を介して供給される交番電流（交流電流）を直流電流に変換する全波整流回路５６と、該全波整流回路５６の出力部に並列接続された平滑コンデンサ５７とを有して構成されている。なお、図７を参照し一構成例として述べた上記遅延回路５４には全波整流回路６０が備えられているが、このように遅延回路５４に全波整流回路６０が設けられる場合、電源ユニット４１に全波整流回路５６は不要であり、該全波整流回路５６は、上記遅延回路５４が全波整流回路６０を備えないタイプのものである場合に設けられる。
【００６７】
ここで、上記遅延回路５４による電源供給遅延を遅延補正手段４８によって補正してから画像表示装置３５を作動させる制御について、図８のタイムチャートを参照して説明する。
【００６８】
図８においては、遊技島設備Ｉｓの遊技島Ｇ１〜Ｇ２４の何れかにおけるパチンコ機１での、電源供給から待機画面の表示開始までの経時変化を示しており、符号Ｍ１〜Ｍ９で示される各信号変化は、同じ遊技島におけるパチンコ機１ａ〜１ｅ…のそれぞれに対応している。
【００６９】
上記遅延補正手段４８は、電源供給を遅延させる旨の遅延信号を遅延回路（遅延手段）５４から受信すると、画像表示装置３５の画面３５ａでの待機画面の表示を、遅延信号に基づく遅延量に応じて補正して、他のパチンコ機と同期した形で開始させるように補正する。つまり、遅延補正手段４８は、画像表示装置３５が電源供給を受けた時点で駆動回路３４がイニシャライズ処理を実行してから待機画面を表示開始させるまでの一定の基準時間Ｔを有しており、遅延回路５４による遅延設定に応じて該基準時間Ｔを補正することで、画像表示装置３５での待機画面の表示を、パチンコ機１ａ〜１ｅ…の他のものと同期した形で開始させる。
【００７０】
具体的には、遅延回路５４は、遅延設定を段階的に行う、前述した可変抵抗器６５のような設定手段を有し、かつ該設定手段の段階的な調整量を遅延信号に重畳して出力するように構成されている。そして、遅延補正手段４８は、遅延信号に重畳された設定手段（例えば可変抵抗器６５）の調整量に応じて基準時間Ｔを短縮させて補正し、補正時間（図８のＴ２〜Ｔ９）に変換する。即ち、例えば段階的な１〜８段階までの目盛りがある場合、１段階だけ遅延設定された場合はその調整量１が遅延信号に重畳されることに基づいて補正時間Ｔ２に補正され、或いは、４段階だけ遅延設定された場合はその調整量４が遅延信号に重畳されることに基づいて補正時間Ｔ５に補正される。このように、遊技島設備Ｉｓの遊技島それぞれにおいて、まとめて複数のパチンコ機に電源供給するように構成されていても、遊技場係員が各パチンコ機の可変抵抗器６５を操作することで、電源供給を個々に遅延させるように、容易に設定することができる。
【００７１】
ついで、遊技島Ｇ１〜Ｇ２４のそれぞれに配置されたパチンコ機１の作用について、上記図８を参照しつつ説明する。
【００７２】
すなわち、遊技場の開店にあたって係員が遊技島Ｇ１〜Ｇ２４のいずれかにおけるブレーカー６７がオンされると、同じ遊技島のパチンコ機１ａ〜１ｅ…に向けて電源配線６８を介して電源が一斉に供給されようとする。この際、パチンコ機１ａ〜１ｅ…のそれぞれでは、搭載された遅延回路５４が、設定手段で個々に設定された時間差でオンし、配線５８を介して電源ユニット４１に、他のパチンコ機とは異なるタイミングで電源投入される。
【００７３】
このように、ブレーカー６７のオン操作で交流電源６６から一斉に電源投入されようとしても、各パチンコ機に搭載された遅延回路５４が、各電源ユニット４１への電源投入タイミングを互いにずらすように機能するので、パチンコ機１ａ〜１ｅ…に一斉に電源投入されることに起因して発生する突入電流が確実に防止される。同時に、各電源ユニット４１を介して、パチンコ機１ａ〜１ｅ…の各主制御基板４０に異なるタイミングで電源が供給されるため、各パチンコ機の乱数カウンタ５０が同時進行で乱数生成することを防止し、パチンコ機１ａ〜１ｅ…それぞれでの大当たり発生確率の変動周期をずらすことができ、乱数発生の開始タイミングが同期して体感器による不正行為の標的になり易い等の問題を解消できる。
【００７４】
更に、このように乱数の更新タイミングをランダムにしながらも、パチンコ機１ａ〜１ｅ…にそれぞれ搭載された遅延補正手段４８が、遅延回路５４から受信した遅延信号に基づき、画像表示装置３５の画面３５ａでの待機画面の表示を、該遅延信号の遅延量に応じて補正し、パチンコ機１ａ〜１ｅ…の他のものと同期した形で開始させるようにする。
【００７５】
例えば、パチンコ機１ａに相当する図８におけるＭ１では、設定手段による遅延設定は特に行われず、遅延信号に重畳された遅延量は０であるため、ブレーカー６７のオン操作とともに電源配線６８及び電源ケーブル４２を介して投入された電源は遅延することなく電源ユニット４１に供給される。つまり、基準時間Ｔにおける最初の時点ｔ1で信号が立上がり、この時点で駆動回路３４によるイニシャライズ処理が実行されるが、調整量に応じた基準時間Ｔの短縮は無いため、時点ｔ1から、待機画面（デモ画面）を開始する時点ｔ10までの基準時間Ｔは補正されることなく、そのままとなる。
【００７６】
また、パチンコ機１ｂに相当する図８におけるＭ２では、設定手段による遅延設定が目盛り１だけ行われ、遅延信号に重畳された遅延量（調整量）は１であるため、ブレーカー６７のオン操作とともに投入される電源の遅延量は１に対応する時間だけ遅延された状態で電源ユニット４１に供給される。つまり、基準時間Ｔにおける時点ｔ2で信号が立上がり、この時点で画像表示装置３５のイニシャライズ処理が実行されるが、遅延量２に応じて基準時間Ｔが、時点ｔ2から、待機画面を開始する時点ｔ10までに短縮された補正時間Ｔ２に補正される。
【００７７】
以下、他のパチンコ機でも同様に、設定手段の遅延設定に応じた基準時間Ｔの補正が行われ、例えば、９番目のパチンコ機に相当する図８におけるＭ９では、設定手段による遅延設定が目盛り８だけ行われ、遅延信号に重畳された遅延量（調整量）は８であるため、ブレーカー６７のオン操作とともに投入された電源の遅延量は８に対応する時間だけ遅延された状態で電源ユニット４１に供給される。つまり、基準時間Ｔにおける時点ｔ9で信号が立上がり、この時点で画像表示装置３５のイニシャライズ処理が実行されるが、遅延量８に応じて基準時間Ｔが、時点ｔ9から、待機画面を開始する時点ｔ10までに短縮された（実質的に０とされた）補正時間Ｔ９に補正され、イニシャライズ処理の次の時点ｔ10で待機画面の表示が直ちに開始される。これにより、同じ遊技島におけるパチンコ機１ａ〜１ｅ…では待機画面の表示が一斉に開始されて、同期した映像が各画面３５ａで繰り広げられることになる。
【００７８】
以上のように、本実施の形態では、突入電流の発生を防止し、かつ乱数カウンタ５０による乱数発生の開始タイミングがずらしながらも、各パチンコ機の待機画面の表示開始タイミングを各遅延補正手段４８でそれぞれ補正して、各パチンコ機毎の待機画面を同期した状態にすることができる。これにより、開店時に島設備の各パチンコ機で異なるタイミングで待機画面が表示されて不信感を感じさせるような不都合を無くすることができる。
【００７９】
また、本実施の形態では、遅延補正手段４８が、画像表示装置３５が電源供給を受けた時点でイニシャライズ処理を実行してから待機画面を表示開始させる一定の基準時間Ｔを有し、かつ遅延回路５４による遅延設定に応じて該基準時間Ｔを補正するため、待機画面の表示を他のパチンコ機と同期した状態で開始させることができ、予め設定された基準時間Ｔを各パチンコ機毎に調整することで、待機画面の表示開始のタイミングを容易に補正することができる。更に、遅延回路５４が、遅延設定を行う設定手段を有し、かつ該設定手段の調整量を遅延信号に重畳して出力し、遅延補正手段４８が、遅延信号に重畳された設定手段の調整量に応じて基準時間Ｔを短縮させるように補正するので、予め設定された基準時間Ｔを設定手段の調整量に応じて短縮させる補正により、待機画面の表示開始のタイミングを極めて容易に補正することができる。
【００８０】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００８１】
【図１】本発明に係るパチンコ機を複数配置した遊技島を複数備えた遊技島設備を示す概略図である。
【図２】何れかの遊技島に対する電源供給の状況を模式的に示す図である。
【図３】本実施形態におけるパチンコ機を示す正面図である。
【図４】本パチンコ機を後側から見た状態で示す背面図である。
【図５】本パチンコ機の制御系を示すブロック図である。
【図６】図５で説明した遊技制御装置を、主制御基板と副制御基板とを機能的に分離した形で示すブロック図である。
【図７】遅延回路の一構成例を示す回路図である。
【図８】何れかの遊技島における各パチンコ機の遅延補正を説明するためのタイムチャートである。
【符号の説明】
【００８２】
１    遊技機（パチンコ機）
３５    画像表示装置
４１    電源被供給部（電源ユニット）
４８    遅延補正手段
５４    遅延手段（遅延回路）
６５    設定手段（可変抵抗器）
６６，６７    電源供給部（交流電源、ブレーカー）
Ｔ    基準時間
【図１】
2010119464.tif 000003
【図２】
2010119464.tif 000004
【図３】
2010119464.tif 000005
【図４】
2010119464.tif 000006
【図５】
2010119464.tif 000007
【図６】
2010119464.tif 000008
【図７】
2010119464.tif 000009
【図８】
2010119464.tif 000010